(57)【要約】【課題】利用者による検索結果の評価を反映した情報の検索ならびに検索結果表示を行うことを可能にする情報検索方法、情報検索システム、情報検索プログラム、情報評価プログラム、情報検索プログラムおよび情報評価プログラムをそれぞれ記録した記録媒体を提供する。【解決手段】通信ネットワークを介して端末に接続されたコンピュータが、端末から受信した検索キーワードに関連した情報の検索結果を送信し、送信した検索結果に含まれる情報のうち、端末によって有効であると評価された評価情報を端末から受信し、受信した評価情報に対して評価値を付与し、評価情報およびこの評価情報に付与した評価値を、評価情報を記憶する評価情報記憶部に検索キーワードと関連付けて記憶する。【選択図】　　　図１
2004013323.tif 000002
【特許請求の範囲】
【請求項１】
通信ネットワークを介して端末に接続されたコンピュータを用いて、端末から送信される検索キーワードに関連した情報の検索を行う情報検索方法において、
前記コンピュータが、
端末から受信した検索キーワードに関連した情報の検索結果を前記端末へ送信する検索結果送信ステップと、
この検索結果ステップで送信した検索結果に含まれる情報のうち、端末によって有効であると評価された評価情報を前記端末から受信する評価情報受信ステップと、
この評価情報受信ステップで受信した評価情報に対して所定の評価値を付与し、前記評価情報およびこの評価情報に付与した評価値を、評価情報を記憶する評価情報記憶部に前記検索キーワードと関連付けて記憶する評価情報記憶ステップと
を実行することを特徴とする情報検索方法。
【請求項２】
通信ネットワークを介して端末に接続されたコンピュータを用いて、端末から送信される検索キーワードに関連した情報の検索を行う情報検索方法において、
前記コンピュータが、
端末から検索キーワードを受信したことに応じて、前記検索キーワードが前記評価情報記憶部に記憶されているかどうかを検索する検索ステップと、
この検索ステップで検索した前記検索キーワードが前記評価情報記憶部に記憶されているとき、前記検索キーワードに関連付けて記憶されている評価情報および当該評価情報に付与された評価値の合計を前記評価情報記憶部から読み出し、前記評価情報に付与された評価値の合計に応じて評価情報の検索結果を編集する編集ステップと、
このステップで編集した検索結果を前記端末へ送信する送信ステップと
を実行することを特徴とする請求項１記載の情報検索方法。
【請求項３】
通信ネットワークを介して接続された端末から送信される検索キーワードに関連した情報の検索を行う情報検索システムにおいて、
端末から受信した検索キーワードに関連した情報の検索結果を前記端末へ送信する検索結果送信手段と、
この送信手段で送信した検索結果に含まれる情報のうち、端末によって有効であると評価された評価情報を前記端末から受信する評価情報受信手段と、
この受信手段で受信した評価情報に対して所定の評価値を付与し、前記評価情報およびこの評価情報に付与した評価値を前記検索キーワードと関連付けて記憶する評価情報記憶手段と
を備えたことを特徴とする情報検索システム。
【請求項４】
通信ネットワークを介して接続された端末から送信される検索キーワードに関連した情報の検索を行う情報検索システムにおいて、
端末から検索キーワードを受信したことに応じて、前記検索キーワードが前記評価情報記憶手段に記憶されているかどうかを検索する検索手段と、
この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段と、
このステップで編集した検索結果を前記端末へ送信する送信手段と
を備えたことを特徴とする請求項３記載の情報検索システム。
【請求項５】
通信ネットワークを介して接続された端末から送信される検索キーワードに関連した情報の検索を行うために、コンピュータを、
端末から受信した検索キーワードに関連した情報の検索結果を前記端末へ送信する検索結果送信手段、
この検索結果送信手段で送信した検索結果に含まれる情報のうち、端末によって有効であると評価された評価情報を前記端末から受信する評価情報受信手段、
この評価情報受信手段で受信した評価情報に対して所定の評価値を付与し、前記評価情報およびこの評価情報に付与した評価値を前記検索キーワードと関連付けて記憶する評価情報記憶手段、
として機能させることを特徴とする情報検索プログラム。
【請求項６】
通信ネットワークを介して接続された端末から送信される検索キーワードに関連した情報の検索を行うために、コンピュータを、
端末から検索キーワードを受信したことに応じて、前記検索キーワードが前記評価情報記憶手段に記憶されているかどうかを検索する検索手段、
この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段、
このステップで編集した検索結果を前記端末へ送信する送信手段、
としてさらに機能させることを特徴とする請求項５記載の情報検索プログラム。
【請求項７】
検索キーワードに基づいて情報の検索を行う情報検索システムから受信した検索結果に含まれる情報の有効性を評価するために、コンピュータを、
検索結果に含まれる情報のうち、利用者によって有効であると評価された評価情報の認定を利用者に促す評価情報認定手段、
この評価情報認定手段で認定された評価情報を前記情報検索システムへ送信する評価情報送信手段、
として機能させることを特徴とする情報評価プログラム。
【請求項８】
通信ネットワークを介して接続された端末から送信される検索キーワードに関連した情報の検索を行うために、コンピュータを、端末から受信した検索キーワードに関連した情報の検索結果を前記端末へ送信する検索結果送信手段、この検索結果送信手段で送信した検索結果に含まれる情報のうち、端末によって有効であると評価された評価情報を前記端末から受信する評価情報受信手段、この評価情報受信手段で受信した評価情報に対して所定の評価値を付与し、前記評価情報およびこの評価情報に付与した評価値を前記検索キーワードと関連付けて記憶する評価情報記憶手段、として機能させる情報検索プログラム
を記録したことを特徴とする情報検索プログラム記録した記録媒体。
【請求項９】
通信ネットワークを介して接続された端末から送信される検索キーワードに関連した情報の検索を行うために、コンピュータを、端末から検索キーワードを受信したことに応じて、前記検索キーワードが前記評価情報記憶手段に記憶されているかどうかを検索する検索手段、この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段、このステップで編集した検索結果を前記端末へ送信する送信手段、としてさらに機能させる情報検索プログラム
を記録したことを特徴とする請求項８記載の情報検索プログラムを記録した記録媒体。
【請求項１０】
検索キーワードに基づいて情報の検索を行う情報検索システムから受信した検索結果に含まれる情報の有効性を評価するために、コンピュータを、検索結果に含まれる情報のうち、利用者によって有効であると評価された評価情報の認定を利用者に促す評価情報認定手段、この評価情報認定手段で認定された評価情報を前記情報検索システムへ送信する評価情報送信手段、として機能させる情報評価プログラム
を記録したことを特徴とする情報評価プログラムを記録した記録媒体。
【発明の詳細な説明】
【０００１】
【発明の属する技術分野】
本発明は、通信ネットワークを介して端末から送信される検索キーワードに関連する情報を検索する情報検索方法、情報検索システム、情報検索プログラム、情報評価プログラム、情報検索プログラムおよび情報評価プログラムをそれぞれ記録した記録媒体に関する。
【０００２】
【従来の技術】
従来、利用者の端末から受信する検索キーワードに関連したウェブページ等の情報を検索する検索エンジンサイトがインターネット上で公開されている。この検索エンジンサイトにおいては、検索ロボットがインターネット上で公開されているサイトからキーワードを自動的に収集し、検索キーワードが多数含まれているウェブページから順に表示する方式や、リンクが多数張られているウェブページを優先的に表示する方式等が採用されている。
【０００３】
【発明が解決しようとする課題】
上述した従来技術には、検索エンジンサイトを利用する利用者側の評価が必ずしも反映されたものとなっていない面があった。したがって、検索エンジンサイトに登録される情報の数が激増している昨今の状況では、同じ検索キーワードを入力して検索を行っても、利用する検索エンジンサイトによって検索結果の表示順が異なる上、検索結果が必要以上に多数表示されるため、所望の情報を取得するために多くの時間を費やすことも多く、必ずしも使い勝手がよいわけではなかった。
【０００４】
本発明は、上記課題に鑑みてなされたものであり、その目的は、利用者による検索結果の評価を反映した情報の検索ならびに検索結果表示を行うことを可能にする情報検索方法、情報検索システム、情報検索プログラム、情報評価プログラム、情報検索プログラムおよび情報評価プログラムをそれぞれ記録した記録媒体を提供することにある。
【０００５】
【課題を解決するための手段】
上記目的を達成するために、請求項１記載の本発明は、通信ネットワークを介して端末に接続されたコンピュータを用いて、端末から送信される検索キーワードに関連した情報の検索を行う情報検索方法において、前記コンピュータが、端末から受信した検索キーワードに関連した情報の検索結果を前記端末へ送信する検索結果送信ステップと、この検索結果ステップで送信した検索結果に含まれる情報のうち、端末によって有効であると評価された評価情報を前記端末から受信する評価情報受信ステップと、この評価情報受信ステップで受信した評価情報に対して所定の評価値を付与し、前記評価情報およびこの評価情報に付与した評価値を、評価情報を記憶する評価情報記憶部に前記検索キーワードと関連付けて記憶する評価情報記憶ステップとを実行することを要旨とする。
【０００６】
請求項１記載の本発明によれば、通信ネットワークを介して端末に接続されたコンピュータが、検索キーワードを要求した端末に対して送信した前記検索キーワードに関連する情報のうち、前記端末によって有効であると評価された評価情報に所定の評価値を付与し、前記評価情報およびこの評価情報に付与した評価値を、評価情報を記憶する評価情報記憶部に前記検索キーワードと関連付けて記憶することにより、利用者による検索結果の評価を反映した情報の検索ならびに検索結果表示を行うことが可能になる。
【０００７】
なお、本発明における「コンピュータ」とは、１つのコンピュータにより構築されている場合だけでなく、各手段（または、各ステップの実行、若しくは、各機能の実行）を分割して２つ以上のコンピュータによって構築されている場合も含む。
【０００８】
請求項２記載の本発明は、通信ネットワークを介して端末に接続されたコンピュータを用いて、端末から送信される検索キーワードに関連した情報の検索を行う情報検索方法において、前記コンピュータが、端末から検索キーワードを受信したことに応じて、前記検索キーワードが前記評価情報記憶部に記憶されているかどうかを検索する検索ステップと、この検索ステップで検索した前記検索キーワードが前記評価情報記憶部に記憶されているとき、前記検索キーワードに関連付けて記憶されている評価情報および当該評価情報に付与された評価値の合計を前記評価情報記憶部から読み出し、前記評価情報に付与された評価値の合計に応じて評価情報の検索結果を編集する編集ステップと、このステップで編集した検索結果を前記端末へ送信する送信ステップとを実行することを要旨とする。
【０００９】
請求項２記載の本発明によれば、端末から検索キーワードを受信したことに応じて、その検索キーワードが前記評価情報記憶部に記憶されているかどうかを検索し、検索した検索キーワードが評価情報記憶部に記憶されているとき、その検索キーワードに関連付けて記憶されている評価情報および当該評価情報に対して付与された評価値の合計を評価情報記憶部から読み出し、評価値の合計に応じて評価情報の検索結果を編集して端末に送信することにより、利用者の検索結果の評価を反映した情報の検索ならびに検索結果の表示を行うことができる。
【００１０】
請求項３記載の本発明は、通信ネットワークを介して接続された端末から送信される検索キーワードに関連した情報の検索を行う情報検索システムにおいて、端末から受信した検索キーワードに関連した情報の検索結果を前記端末へ送信する検索結果送信手段と、この送信手段で送信した検索結果に含まれる情報のうち、端末によって有効であると評価された評価情報を前記端末から受信する評価情報受信手段と、この受信手段で受信した評価情報に対して所定の評価値を付与し、前記評価情報およびこの評価情報に付与した評価値を前記検索キーワードと関連付けて記憶する評価情報記憶手段とを備えたことを要旨とする。
【００１１】
請求項３記載の本発明によれば、端末から受信した検索キーワードに関連した情報の検索結果を端末へ送信する送信手段と、この送信手段で送信した検索結果に含まれる情報のうち、端末によって有効であると評価された評価情報を端末から受信する受信手段と、この受信手段で受信した評価情報に対して所定の評価値を付与し、評価情報およびこの評価情報に付与した評価値を検索キーワードと関連付けて記憶する評価情報記憶手段とを備えたを備えた情報検索システムを提供することにより、利用者による検索結果の評価を反映した情報の検索ならびに検索結果表示を行うことが可能になる。
【００１２】
なお、本発明の「情報検索システム」は、１つのコンピュータにより構築されている場合だけでなく、各手段（または、各ステップの実行、若しくは、各機能の実行）を分割して２つ以上のコンピュータによって構築されている場合も含む。
【００１３】
請求項４記載の本発明は、通信ネットワークを介して接続された端末から送信される検索キーワードに関連した情報の検索を行う情報検索システムにおいて、端末から検索キーワードを受信したことに応じて、前記検索キーワードが前記評価情報記憶手段に記憶されているかどうかを検索する検索手段と、この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段と、このステップで編集した検索結果を前記端末へ送信する送信手段とを備えたことを要旨とする。
【００１４】
請求項４記載の本発明によれば、請求項３記載の情報検索システムが、端末から検索キーワードを受信したことに応じて、検索キーワードが評価情報記憶手段に記憶されているかどうかを検索する検索手段と、検索キーワードが評価情報記憶手段に記憶されているとき、検索キーワードに関連付けて記憶されている評価情報および当該評価情報に対して付与された評価値の合計を評価情報記憶手段から読み出し、前記評価情報に付与された評価値の合計に応じて評価情報の検索結果を編集する編集手段とをさらに備えることにより、利用者による検索結果の評価を反映した情報の検索ならびに検索結果表示を行うことが可能になる。
【００１５】
請求項５および６記載の本発明は、前述した情報検索方法を情報検索システムにおいて実行するためのプログラムを提供するものである。
【００１６】
請求項５記載の本発明は、通信ネットワークを介して接続された端末から送信される検索キーワードに関連した情報の検索を行うために、コンピュータを、端末から受信した検索キーワードに関連した情報の検索結果を前記端末へ送信する検索結果送信手段、この検索結果送信手段で送信した検索結果に含まれる情報のうち、端末によって有効であると評価された評価情報を前記端末から受信する評価情報受信手段、この評価情報受信手段で受信した評価情報に対して所定の評価値を付与し、前記評価情報およびこの評価情報に付与した評価値を前記検索キーワードと関連付けて記憶する評価情報記憶手段、として機能させることを要旨とする。
【００１７】
請求項６記載の本発明は、通信ネットワークを介して接続された端末から送信される検索キーワードに関連した情報の検索を行うために、コンピュータを、端末から検索キーワードを受信したことに応じて、前記検索キーワードが前記評価情報記憶手段に記憶されているかどうかを検索する検索手段、この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段、このステップで編集した検索結果を前記端末へ送信する送信手段、としてさらに機能させることを要旨とする。
【００１８】
請求項７記載の本発明は、検索キーワードに基づいて情報の検索を行う情報検索システムから受信した検索結果に含まれる情報の有効性を評価するために、コンピュータを、検索結果に含まれる情報のうち、利用者によって有効であると評価された評価情報の認定を利用者に促す評価情報認定手段、この評価情報認定手段で認定された評価情報を前記情報検索システムへ送信する評価情報送信手段、として機能させることを要旨とする。
【００１９】
請求項７記載の本発明によれば、利用者側の端末において、情報検索システムから受信した検索結果を用いて検索した情報の有効性を評価し、この評価結果を情報検索システムに送信する情報評価プログラムを提供することにより、利用者の検索結果の評価を反映した情報の検索ならびに検索結果の表示を行うことができる。
【００２０】
請求項８乃至１０記載の本発明は、請求項４、５にそれぞれ記載された情報検索プログラム、および請求項１０記載の情報評価プログラムをそれぞれ記録したコンピュータ読み取り可能な記録媒体に関するものである。
【００２１】
請求項８記載の本発明は、通信ネットワークを介して接続された端末から送信される検索キーワードに関連した情報の検索を行うために、コンピュータを、端末から受信した検索キーワードに関連した情報の検索結果を前記端末へ送信する検索結果送信手段、この検索結果送信手段で送信した検索結果に含まれる情報のうち、端末によって有効であると評価された評価情報を前記端末から受信する評価情報受信手段、この評価情報受信手段で受信した評価情報に対して所定の評価値を付与し、前記評価情報およびこの評価情報に付与した評価値を前記検索キーワードと関連付けて記憶する評価情報記憶手段、として機能させる情報検索プログラムを記録したことを要旨とする。
【００２２】
請求項９記載の本発明は、通信ネットワークを介して接続された端末から送信される検索キーワードに関連した情報の検索を行うために、コンピュータを、端末から検索キーワードを受信したことに応じて、前記検索キーワードが前記評価情報記憶手段に記憶されているかどうかを検索する検索手段、この検索手段で検索した前記検索キーワードが前記評価情報記憶手段に記憶されているとき、前記検索キーワードに関連付けて記憶されている評価情報および当該評価情報に付与された評価値の合計を前記評価情報記憶手段から読み出し、前記評価情報に付与された評価値の合計に応じて評価情報の検索結果を編集する編集手段、このステップで編集した検索結果を前記端末へ送信する送信手段、としてさらに機能させる情報検索プログラムを記録したことを要旨とする。
【００２３】
請求項１０記載の本発明は、検索キーワードに基づいて情報の検索を行う情報検索システムから受信した検索結果に含まれる情報の有効性を評価するために、コンピュータを、検索結果に含まれる情報のうち、利用者によって有効であると評価された評価情報の認定を利用者に促す評価情報認定手段、この評価情報認定手段で認定された評価情報を前記情報検索システムへ送信する送信手段、として機能させる情報評価プログラムを記録したことを要旨とする。
【００２４】
以上請求項８乃至１０記載の本発明によれば、利用者の検索結果の評価を反映した情報の検索ならびに検索結果の表示を行うことを可能にする情報検索プログラムおよび情報評価プログラムをコンピュータ読み取り可能な記録媒体に記録して広く流通させることができる。
【００２５】
【発明の実施の形態】
次に、図面を参照して本発明の実施の形態を説明する。
【００２６】
図１は、本発明の一実施形態に係る情報検索システムならびに通信ネットワークを介したシステム全体の概略構成を概念的に示す説明図である。同図に示す情報検索システム１は、インターネットやイントラネット、専用回線等の通信ネットワーク３を介して利用者側の端末である利用者端末５に接続されている。
【００２７】
図２は、情報検索システム１の詳細な機能構成を示すブロック図である。本実施形態に係る情報検索システム１は、利用者端末５からの評価結果を検索キーワードならびに情報としてのウェブページのＵＲＬ（Ｕｎｉｆｏｒｍ　Ｒｅｓｏｕｒｃｅ　Ｌｏｃａｔｏｒ）と関連付けて記憶する評価情報記憶部である評価記憶用データベース（ＤＢ）１１、登録されたウェブページに関連するＵＲＬ等のウェブページ情報ならびに利用者のアクセス情報等を管理、記憶する検索エンジンデータベース（ＤＢ）１２、キーボード等の入力装置から構成される入力部１３、モニタ等のディスプレイ装置から構成される出力部１４、ＣＰＵ（Ｃｅｎｔｒａｌ　Ｐｒｏｃｅｓｓｉｎｇ　Ｕｎｉｔ）等により構成され、以後の処理に必要な各種演算を実行する演算部１５、通信ネットワーク３を介して検索結果を送信する（検索結果）送信手段ならびに利用者端末５から検索キーワードおよび評価情報を受信する（評価情報）受信手段としての機能を備えた送受信部１６を少なくとも有する。
【００２８】
評価記憶用データベース１１および検索エンジンデータベース１２は、物理的に同じ装置から構成されていても構わない。
【００２９】
情報検索システム１は、上記演算部１５や、ＲＡＭ（Ｒａｎｄｏｍ　Ａｃｃｅｓｓ　Ｍｅｍｏｒｙ）等から構成される主記憶部１８を備えたコンピュータにより構成されている。また、情報検索システム１には、利用者端末５から送信される検索キーワードに基づいて情報の検索ならびに検索結果の学習を実行するための情報検索プログラムが、情報検索システム１内部に具備されたＨＤＤ（Ｈａｒｄ　Ｄｉｓｋ　Ｄｒｉｖｅ）１７等に格納されている。
【００３０】
他方、利用者端末５も情報検索システム１と同様コンピュータにより構成されており、情報検索システム１を利用して検索し、閲覧した情報の利用価値（有効性）を評価した結果を送信するための情報評価プログラムが、内部に具備されたＨＤＤ等に格納されている。この情報評価プログラムがインストールされることにより、利用者端末５は、少なくとも利用者に閲覧した情報を有効であると認定させる評価情報認定手段、ならびに評価情報を情報検索システム１へ送信する評価情報送信手段として機能することが可能になる。
【００３１】
なお、情報検索プログラムならびに情報評価プログラムは、ＣＤ−ＲＯＭ等のコンピュータ読み取り可能な記録媒体に記録して広く流通させることも可能である。
【００３２】
以上の説明のうち、情報検索システム１および利用者端末５がコンピュータから構成され、上記各プログラムが適宜格納されている点は、本発明に係る他の実施形態においても同様であることはいうまでもない。
【００３３】
図３は、本実施形態に係る情報検索処理の流れを表す処理フロー図である。同図においては、情報検索処理の内容をより明確に説明するために、利用者端末５の処理および情報検索システム１と利用者端末５の間の情報の送受信（二重線矢印により表記）についても合わせて記載してある。このため、情報検索システム１と利用者端末５の処理を区別するために、情報検索システム１側の各処理にはステップ番号として「Ｓ１・・」を、利用者端末５側の各処理にはステップ番号として「Ｓ５・・」を付している。また、情報検索システム１内部の処理として、特に評価記憶用データベース１１および検索エンジンデータベース１２を用いて行う処理を点線矢印により表記している。
【００３４】
ここで、以後の処理を実行する情報検索システム１および利用者端末５には、予め情報検索プログラムおよび情報評価プログラムがそれぞれインストールされ、各装置のＨＤＤ等に格納されているものとする。
【００３５】
まず、利用者端末５は、利用者によって入力された情報検索システム１が管理する検索エンジンサイトのＵＲＬにアクセスする（ステップＳ５０１）。
【００３６】
利用者端末５からのアクセスを受けた情報検索システム１は、検索エンジンデータベース１２から検索エンジンサイトのトップページのファイルを呼び出し、このファイルを利用者端末５へ送信する（ステップＳ１０１）。このファイルならびに以後の処理において利用者端末５の画面に表示されるファイルは、ＨＴＭＬ（Ｈｙｐｅｒ　Ｔｅｘｔ　Ｍａｒｋｕｐ　Ｌａｎｇｕａｇｅ）形式等を用いて記述されたものであり、通常のブラウザ機能を備えたコンピュータが表示可能なものである。
【００３７】
検索エンジンサイトのトップページを受信して画面上に表示した利用者端末５は、利用者からの検索キーワードの入力を受けて、この検索キーワードを情報検索システム１に送信する（ステップＳ５０３）。利用者による検索キーワードの入力は、通常の検索エンジンサイトと同様に利用者が画面上に直接入力することによって行われる。
【００３８】
以後の処理については、ステップＳ５０３で利用者端末５が単一の検索キーワードを送信した場合を想定して説明するが、後述するように、複数のキーワードの場合についても本実施形態を適用することができる。
【００３９】
入力された検索キーワードは情報検索システム１に送信され、その検索キーワードが評価記憶用データベース１１にすでに登録されているものであるとき、評価記憶用データベース１１から読み出した評価結果に基づいて検索結果を編集、配列して表示するファイルを生成し、利用者端末５へ送信する（ステップＳ１０３、Ｓ１０５）。
【００４０】
図４は、評価記憶用データベース１１から読み出した検索結果を表示する検索結果表示テーブル２０の一例を示す説明図である。同図においては、「山」という検索キーワードを用いて検索を行って読み出したウェブページのＵＲＬを編集し、このＵＲＬに付与された評価値としての得点が高い順に配列した場合を図示している。例えば、同図に示されている「ｈｔｔｐ：／／ｗｗｗ．○○○．ｎｅ．ｊｐ／」というＵＲＬを有するウェブページは、利用者からの得点の合計が１２３４５６点であることを表している。他のＵＲＬについても同様であることはいうまでもない。
【００４１】
この合計得点は、利用者が閲覧したウェブページの利用価値が高かった場合、すなわち閲覧したウェブページが評価しうる「評価情報」であった場合、利用者端末５を用いて評価を入力し、その評価を情報検索システム１が受信したときに付与される得点を累計したものである。１回の受信ごとに付与される得点は、利用者端末５から評価結果を受信するごとに１点づつ加点していく設定にしてもよいし、数段階（例えば５段階）の得点に分けて利用者端末５に得点の選択を促し、その結果利用者端末５で選択され、送信されてきた得点分だけ加点していく設定にしてもよい。
【００４２】
なお、図４に示した検索結果表示テーブル２０のレイアウトはあくまで一例であり、情報検索システム１内の表示テーブルが必ずしもこれに限られるものではない。本実施形態においては利用者端末５で検索結果が表示されるときに評価得点順に表示されればよいので、情報検索システム１では、単に検索結果と得点を順不同に羅列したものであっても構わない。
【００４３】
ステップＳ１０３において、検索キーワードが評価記憶用データベース１１に登録されていない場合には、通常の検索エンジンと同様に関連するウェブページの検索を行い、そのＵＲＬを検索結果として表示するファイルを生成し、利用者端末５へ送信する（ステップＳ１０７）。
【００４４】
利用者端末５は、検索結果を情報検索システム１から受信し、画面上に表示された検索結果一覧画面からウェブページの検索を行う（ステップＳ５０５）。この際には、前述した情報評価プログラムが作動する。
【００４５】
図５は、本実施形態に係る情報検索方法において、利用者端末５に表示される評価情報認定手段としての検索結果一覧画面の表示例を示す説明図である。同図に示す検索結果表示画面３０には、少なくとも利用者端末５から受信した検索キーワード表示部３１、検索結果としてのＵＲＬ表示部３２、各ＵＲＬ表示部３２の横にそれぞれ設けられる評価ボタン３３が表示される。
【００４６】
ＵＲＬ表示部３２はリンクキーをなしており、利用者がＵＲＬ表示部３２のいずれかにマウスポインタを合わせてマウスをクリックすると、該当するウェブページにアクセスすることができる。また、各ＵＲＬの下側（図中の横点線部分）には、対応するＵＲＬに関する情報、例えば通常の検索エンジンサイトと同様に検索キーワードを含む記載内容の抜粋等が適宜表示される。利用者端末５では、閲覧するＵＲＬが選択されると別のウィンドウが起動し、この新たなウィンドウに選択したＵＲＬを有するウェブページが表示される。
【００４７】
評価ボタン３３は、利用者が検索結果表示画面３０から選択したウェブページを閲覧した結果、そのウェブページは利用価値が高く、役に立った（ｇｏｏｄ）と評価しうる評価情報である場合にクリックするためのボタン機能を有する。この評価ボタン３３（図５では、「ｇｏｏｄ」と記載されている）をクリックすると、該当するウェブページのＵＲＬが、利用者端末５に具備された評価情報送信手段によって情報検索システム１に送信される（ステップＳ５０７、Ｓ５０９）。このステップでの送信においては、評価ボタン３３をクリックしたときに、該当するウェブページのＵＲＬに検索を行った検索キーワードを加えた情報を評価情報送信手段によって送信するようにすることも可能である。
【００４８】
検索結果表示画面３０に表示されるＵＲＬの件数は、予め設定しておくことができる。例えば、一つのウェブページ上で表示する件数の最大値を情報検索システム１側で設定してもよいし、利用者端末５で利用者側に表示すべき件数の選択を促すような設定にしてもよい。
【００４９】
ステップＳ５０９で評価を送信した利用者は、同じ検索結果一覧画面を用いて検索を続行するかどうかを判断し、その判断に応じて以後の処理を利用者端末５により行う（ステップＳ５１１）。
【００５０】
利用者端末５が評価したウェブページのＵＲＬを評価情報として受信した情報検索システム１は、そのＵＲＬが、ステップＳ５０３における利用者端末５の処理において送信されてきた検索キーワードに関連付けられた形で評価記憶用データベース１１に登録されているかどうかの検索を行う。
【００５１】
受信したＵＲＬが検索キーワードと関連付けて登録されている場合には、該当するＵＲＬに評価値としての得点を付与して記憶する（ステップＳ１０９（ＹＥＳ）、Ｓ１１１（ＹＥＳ）、Ｓ１１３）。
【００５２】
検索キーワードのみ登録されており、ＵＲＬがこの検索キーワードに関連付けて登録されていない場合には、そのＵＲＬを同時に受信した検索キーワードに関連付けて登録するとともに評価値としての得点を付与して評価記憶用データベース１１に記憶する（ステップＳ１０９（ＹＥＳ）、Ｓ１１１（ＮＯ）、Ｓ１１５）。
【００５３】
ステップＳ１０９で受信した検索キーワードが評価情報用データベース１１に登録されていない（ＮＯ）場合には、検索キーワードを登録すると同時にＵＲＬもその検索キーワードに関連付けて登録し、この登録したＵＲＬに評価値としての得点を付与して評価記憶用データベース１１に両者を記憶する（ステップＳ１０９（ＮＯ）、Ｓ１１７）。受信したＵＲＬが、最初に利用者端末５から送信されてきた検索キーワードと異なる検索キーワードに関連付けて登録されている場合にも、ステップＳ１１７の処理を行う。
【００５４】
なお、上述したように利用者端末５側が複数段階で評価する設定になっている場合には、評価段階の数に応じて各ＵＲＬに係る評価ボタン３３を検索結果表示画面３０上に複数設ければよい。
【００５５】
また、同じ利用者端末５が同一の検索キーワードを用いて一度評価結果を送信したＵＲＬを有するウェブページに再度アクセスしたときに、そのアクセス情報を情報検索システム１が受信して、評価記憶用データベース１１に記憶された該当ＵＲＬに自動的に得点を付与するようにすることも可能である。
【００５６】
図３を用いて説明した以上の情報検索システム１の処理において、利用者端末５から検索キーワードを受信したことに応じて、その検索キーワードが評価記憶用データベース１１に記憶されているかどうかの検索を行う検索手段、および評価情報としてのウェブページに付与された評価値の合計に応じて編集を行う編集手段としての機能は、主に演算部１５が具備するものである。
【００５７】
以上説明した本発明の一実施形態によれば、利用者端末からの評価を評価記憶用データベース１１に登録、記憶しておき、この評価結果に基づいて検索結果の表示を行う情報検索システムを提供することにより、利用者側にとっては利用価値の高いウェブページをより早く見つけることが可能となり、検索エンジンサイトの使い勝手がよくなるという効果を奏する。
【００５８】
なお、本発明は上記一実施形態においてのみ特有の効果を奏すると理解されるべきではない。
【００５９】
（１）図７は、検索結果に基づいて閲覧したウェブページの評価を送信するための別な画面表示例を示す説明図である。同図に示す検索ページ評価用画面４０は、検索結果表示画面からウェブページにアクセスして表示すると同時に別のウィンドウが起動して表示されるものである。利用者が検索結果表示画面からウェブページを選択して検索した結果、利用価値が高く役に立った場合には、検索ページ評価用画面４０の評価ボタン４１（「はい」）をクリックする一方で、利用価値の無いものであった場合には評価ボタン４２（「いいえ」）をクリックする。
【００６０】
情報検索システム１では、利用者端末５で評価ボタン４１がクリックされ送信されてきたとき、該当するＵＲＬに評価値を付与する処理を行い、評価記憶用データベース１１に登録、記憶する。場合によっては、評価ボタン４２の受信状況も記憶しておき、この結果を利用することも可能である。
【００６１】
また、複数段階の評価法を採用する場合には、評価ボタンを複数設けておき、利用者に評価の選択を促すようにすることは、上述した本発明の一実施形態と同様である。
【００６２】
（２）利用者端末５で起動しているブラウザにブックマークされたＵＲＬは、利用者が閲覧価値の高いものと判断する場合が多いことに鑑みて、ブックマークがなされた時点で自動的に評価結果を情報検索システム１に送信するように設定することも可能である。
【００６３】
また、検索結果一覧画面上で表示されているＵＲＬが利用者端末５側でクリックされた時点で利用者が評価を下したとみなし、情報検索システム１に評価結果を送信するようにしてもよい。
【００６４】
（３）評価記憶用データベース１１に、複数のキーワードをさらに関連付け、これらの相関関係を学習させ、複数キーワードにまたがるＵＲＬの評価結果の記憶機能を具備させることも可能である。
【００６５】
（４）利用者の個人的な趣向を反映できるように、ユーザ登録等を行って、ユーザ個々の利用価値に応じた情報検索機能を設けることも可能である。
【００６６】
（５）評価値としては単なる得点以外にも、例えば検索結果一覧画面を通じて閲覧されたＵＲＬのアクセス状況（該当ＵＲＬへのアクセス時間、該当ＵＲＬと同一のウェブサイトに属する他のページへのリンク状況等）に応じ、各ＵＲＬに対して統計的な重み等の係数を付与したものを用いることも可能である。
【００６７】
このように、本発明は上記一実施形態と同様の効果を奏する様々な実施の形態等を含みうるものであることはいうまでもない。
【００６８】
【発明の効果】
以上説明した本発明によれば、利用者による検索結果の評価を反映した情報の検索ならびに検索結果表示を行うことを可能にする情報検索方法、情報検索システム、情報検索プログラム、情報評価プログラム、情報検索プログラムおよび情報評価プログラムをそれぞれ記録した記録媒体を提供することができる。
【００６９】
また、本発明によれば、利用者側の評価が検索結果に反映されるため、利用者が所望の情報を迅速に取得することが可能になる。
【図面の簡単な説明】
【図１】本発明の一実施形態に係る情報検索システムの概略構成を表す説明図である。
【図２】本発明の一実施形態に係る情報検索システムの機能構成を表すブロック図である。
【図３】本発明の一実施形態に係る情報検索方法の処理の流れを表す処理フロー図である。
【図４】検索結果表示テーブルの一例を示す説明図である。
【図５】利用者端末での検索結果一覧の表示画面例を示す説明図である。
【図６】利用者端末での検索ページ評価用画面の表示例を示す説明図である。
【符号の説明】
１　情報検索システム
３　通信ネットワーク
５　利用者端末（端末の例）
１１　評価記憶用データベース（評価情報記憶手段の一部）
１２　検索エンジンデータベース
１３　入力部
１４　出力部
１５　演算部
１６　送受信部
１７　ＨＤＤ
１８　主記憶部
２０　検索結果表示テーブル
３０　検索結果表示画面（評価情報認定手段の例）
３１　検索キーワード表示部
３２　ＵＲＬ表示部
３３、４１、４２　評価ボタン
４０　検索ページ評価用画面（評価情報認定手段の例）
【図１】
2004013323.tif 000003
【図２】
2004013323.tif 000004
【図３】
2004013323.tif 000005
【図４】
2004013323.tif 000006
【図５】
2004013323.tif 000007
【図６】
2004013323.tif 000008